(57)【要約】【課題】  使用に際しＵＳＢ電源機器の有無によらずに電力供給がなされるようにしたＵＳＢファン装置を得ること。【解決手段】  ファンを駆動するモータ６、ファン駆動回路５、マイコン４、充電池３、充電池３へ出力制御する充電制御回路７、供給される電流を択一的に切り替えてマイコン４又は充電制御回路７へ振り分けて出力する電源切替回路２を備え、ＵＳＢ電源機器１００との接続時にはＵＳＢ電源機器から、また、ＵＳＢ電源機器との非接続時には充電池３から、ファン駆動の電力供給がなされるようにしたＵＳＢファン装置１。【選択図】  図１
2016194841.tif 000002
【特許請求の範囲】
【請求項１】
ＵＳＢ電源を利用するＵＳＢファン装置において、
ファンを駆動するモータと、
前記モータを駆動するファン駆動回路と、
前記ファン装置が前記ＵＳＢ電源に非接続のときに前記モータに電力を供給する充電池と、
前記ファン装置が前記ＵＳＢ電源に対し接続・非接続の判定をするとともに、前記充電池の電圧の監視及び充電電流・電圧の制御と監視、並びに、前記ファン駆動回路への電力の出力制御を行うマイコンと、
前記ＵＳＢ電源からの電流を前記充電池へ出力制御する充電制御回路と、
前記ＵＳＢ電源と前記充電池から供給される電流を択一的に切り替えて前記マイコン又は前記充電制御回路へ振り分けて出力する電源切替回路と、
を備え、
前記ファン装置が前記ＵＳＢ電源に対し接続されていると判定されたときは、当該ＵＳＢ電源によるファンの運転を行うとともに、前記充電池への充電動作が行われ、
また、前記ファン装置が前記ＵＳＢ電源に対し接続されていないと判定されたときは、前記充電池によるファンの運転を行うようにしたことを特徴とするＵＳＢファン装置。
【発明の詳細な説明】
【技術分野】
【０００１】
本発明は、ＵＳＢ電源を利用するＵＳＢファンにおいて、充電機能を備えたＵＳＢファン装置に関する。
【背景技術】
【０００２】
従来、例えばパソコンなどをＵＳＢ電源機器とするＵＳＢファンが広く知られている。また、ＵＳＢ電源は、例えば、ＵＳＢ２．０の規格では、５Ｖ、５００ｍＡの電力供給がなされ、ＵＳＢ３．０では、５Ｖ、９００ｍＡの電力供給がなされている。
【０００３】
この種従来のＵＳＢファンは、ＵＳＢの電源端子とモータ端子が直接繋がっており、充電池やマイコンを搭載していないものが通常である。
【先行技術文献】
【特許文献】
【０００４】
【特許文献１】実用新案登録第３１６６９２８号公報
【発明の概要】
【発明が解決しようとする課題】
【０００５】
このように、従来のＵＳＢファンは、外部のＵＳＢポートを有する機器からの電力供給のみで動作するものが大半であり、例えばＡＣ電源からの供給を受けたり、太陽光発電電源を備えているものなどを除き、ＵＳＢポートへの接続なしでは動作しないものである。
【０００６】
更に、ＵＳＢケーブルを使用する従来のＵＳＢファンは、ＵＳＢケーブルが必須であるから、このＵＳＢケーブルが邪魔になったり、また、ＵＳＢファンの設置場所も、ＵＳＢポートを有する機器からＵＳＢケーブルの届く範囲に制限されてしまうものである。
【０００７】
本発明は、上記事情に鑑みてなされたもので、内部に充電池を備えて、ＵＳＢ電源機器との接続時にはＵＳＢ電源機器から、また、ＵＳＢ電源機器との非接続時には充電池からの電力供給がなされるようにしたＵＳＢファン装置を提案するものである。
【課題を解決するための手段】
【０００８】
本願第１請求項に記載した発明は、ＵＳＢ電源を利用するＵＳＢファン装置において、
ファンを駆動するモータと、
前記モータを駆動するファン駆動回路と、
前記ファン装置が前記ＵＳＢ電源に非接続のときに前記モータに電力を供給する充電池と、
前記ファン装置が前記ＵＳＢ電源に対し接続・非接続の判定をするとともに、前記充電池の電圧の監視及び充電電流・電圧の制御と監視、並びに、前記ファン駆動回路への電力の出力制御を行うマイコンと、
前記ＵＳＢ電源からの電流を前記充電池へ出力制御する充電制御回路と、
前記ＵＳＢ電源と前記充電池から供給される電流を択一的に切り替えて前記マイコン又は前記充電制御回路へ振り分けて出力する電源切替回路と、
を備え、
前記ファン装置が前記ＵＳＢ電源に対し接続されていると判定されたときは、当該ＵＳＢ電源によるファンの運転を行うとともに、前記充電池への充電動作が行われ、
また、前記ファン装置が前記ＵＳＢ電源に対し接続されていないと判定されたときは、前記充電池によるファンの運転を行うようにした構成のＵＳＢファン装置である。
【発明の効果】
【０００９】
本発明によれば、ＵＳＢケーブルを使用するか或いは充電池を使用するかを選ぶことができるので、ＵＳＢポートを有する機器からの距離や、ＵＳＢケーブルを気にすることなくＵＳＢファンを自由に設置することができる。また、真夏の災害時や停電などでＵＳＢ電源機器を使用できないときも予め充電しておけば使用することができるので、熱中症などの二次災害の予防にもなるなどの利点を有するものである。
【図面の簡単な説明】
【００１０】
【図１】本発明の実施例に係り、ＵＳＢファン装置のシステム構成を示す図である。
【図２】本発明の実施例に係り、ＵＳＢファン装置におけるフローチャートである。
【発明を実施するための形態】
【００１１】
以下に、本発明の実施例を図面に基づいて説明する。
【００１２】
図１は、本例のファン装置の構成を示す図で、この例では、パソコンなどの電源機器のＵＳＢポートからの電源を利用している。
【００１３】
本例のファン装置１は、図１に示すように、ＵＳＢ電源機器１００のＵＳＢポートにＵＳＢケーブルで接続される電源切替回路２、充電池３、マイコン４、ファン駆動回路５、モータ６、電源切替回路２から出力された電流を充電池３へ供給する充電制御回路７を備える。
【００１４】
電源切替回路２は、前記ＵＳＢ電源と充電池３から供給される電流を択一的に切り替えてマイコン４又は充電制御回路７へ振り分けて出力する。
【００１５】
充電池３は、ニッケル水素電池、リチウムイオン２次電池、ニッケルカドミウム電池などの適宜の電池を用いる。
【００１６】
マイコン４は、当該ファン装置１がＵＳＢ電源機器１００に対し接続・非接続の判定をするとともに、充電池３の電圧の監視及び充電電流・電圧の制御と監視、並びに、ファン駆動回路５への電力の出力制御を行う。
【００１７】
充電制御回路７は、前述したように、電源切替回路２から出力された電流を充電池３へ供給するものであり、その電流の出力はマイコン４により制御される。
【００１８】
上記のように構成される本例のＵＳＢファン装置１においては、当該ファン装置１がＵＳＢ電源機器１００に対し接続されていると判定されたときは、当該ＵＳＢ電源によるファンの運転を行うとともに、充電池３への充電動作が行われ、また、ファン装置１がＵＳＢ電源機器１００に対し接続されていないと判定されたときは、充電池３によるファンの運転を行うように構成されている。
【００１９】
以下、図２に示すフローチャートを用いて説明する。
【００２０】
ファン装置１が起動され、ステップ１１０で、ファン装置１がＵＳＢ電源機器１００のＵＳＢポートに接続されているかが判定され、ＹＥＳであれば、ステップ１２０でＵＳＢ電源による運転が開始され、ステップ１３０で充電池３の充電が開始される。
【００２１】
次いで、ステップ１４０で、ファンスイッチがＯＮであるかが判定され、ＹＥＳであれば、ステップ１５０でファン動作が開始する。前記ステップ１４０でＮＯと判定された場合は、ステップ１６０でファンは停止したままである。
【００２２】
更に、ステップ１７０で、充填池３が充填中にあるかが判定され、ＮＯであれば再びステップ１４０でファンスイッチがＯＮであるかが判定され、爾後、ステップ１５０あるいはステップ１６０へ移行する。
【００２３】
また、ステップ１７０でＹＥＳの場合は、順次、ステップ１８０で充電電流の調整がなされ、ステップ１９０で充電池３の電圧測定がなされ、ステップ２００で充電池３の電源電圧の測定がなされ、ステップ２１０で充電池３が満充電かが判定される。
【００２４】
このステップ２１０でＮＯの場合はステップ１４０へ移行し、前記各ステップを繰り返す。また、ＹＥＳの場合は、ステップ２２０で充電が終了する。
【００２５】
また、開始直後のステップ１１０でＮＯの場合は、ステップ１１１で充電池３による運転がなされる。
【００２６】
次いで、ステップ１１２で、ファンスイッチがＯＮであるかが判定され、ＮＯと判定された場合は、ステップ１１３でファンは停止したままであり、爾後、ステップ１１２へ戻る。
【００２７】
また、ステップ１１２でＹＥＳであれば、ステップ１１４で充電池３の電圧測定がなされ、ステップ１１５で、電池の電源電圧が使用範囲内かが判定され、これがＹＥＳであれば、ステップ１１６でファン動作が開始するとともにファン動作が継続する。
【００２８】
また、ステップ１１５でＮＯの場合は、ステップ１１７でファンが停止し、爾後、ステップ１１２へ移行し前記の各ステップを繰り返す。
【００２９】
上述した本例のファン装置１によれば、ＵＳＢケーブルを用いてＵＳＢ電源機器１００に接続したり、或いはこれに接続せずに装置内の充電池３を用いたりすることを選択できるので、ファン装置１の使用態様や設置場所を適宜できて利便性が向上するものである。
【００３０】
このように、本発明によれば、ＵＳＢケーブルを使用するか或いは充電池を使用するかを選ぶことができるので、ＵＳＢポートを有する機器からの距離や、ＵＳＢケーブルを気にすることなくＵＳＢファンを自由に設置することができる。
【００３１】
また、本発明のファン装置は、真夏の災害時や停電などでＵＳＢ電源機器を使用できないときも予め充電しておけば使用することができるので、熱中症などの二次災害の予防にもなるなどの利点を有するものである。
【産業上の利用可能性】
【００３２】
本発明は、ＵＳＢ電源機器からの電源を利用するＵＳＢファン装置のほか、ＵＳＢ装置一般に好適に利用することができる。
【符号の説明】
【００３３】
１    ＵＳＢファン装置
２    電源切替回路
３    充電池
４    マイコン
５    ファン駆動回路
６    モータ
７    充電制御回路
１００    ＵＳＢ電源機器
【図１】
2016194841.tif 000003
【図２】
2016194841.tif 000004
【手続補正書】
【提出日】平成27年4月8日(2015.4.8)
【手続補正１】
【補正対象書類名】明細書
【補正対象項目名】００２２
【補正方法】変更
【補正の内容】
【００２２】
更に、ステップ１７０で、充電池３が充電中にあるかが判定され、ＮＯであれば再びステップ１４０でファンスイッチがＯＮであるかが判定され、爾後、ステップ１５０あるいはステップ１６０へ移行する。